(57)【要約】      （修正有）【課題】セルの内部空間内に封入されている流動体が、漏れ出すおそれのないデバイス及びこのデバイスを製造する方法を提供する。【解決手段】開口部１５を有するガラスからなるセルと、セル内に封入される流動体と、開口部１５を封止するための封止部１７とを備えるデバイスであって、封止部１７が、セルと、ガラスからなる封止部材１６とを溶着させて形成されてなり、かつ、開口部１５を囲むように溶着部１８により囲まれて形成されてなる第一領域Ａ１と、第一領域Ａ１全域を囲むように溶着部１８により囲まれて形成されてなる第二領域Ａ２を有することを特徴とする。【選択図】図３
2014241244.tif 000002
【特許請求の範囲】
【請求項１】
開口部を有するガラスからなるセルと、前記セル内に封入される流動体と、前記開口部を封止するための封止部とを備えるデバイスであって、
前記封止部が、前記セルと、ガラスからなる封止部材とを溶着させて形成されてなり、かつ、前記開口部を囲むように溶着部により囲まれて形成されてなる第一領域と、前記第一領域全域を囲むように溶着部により囲まれて形成されてなる第二領域を有するデバイス。
【請求項２】
前記溶着部は、連続した線状である請求項２に記載のデバイス。
【請求項３】
開口部を有するガラスからなるセルと、前記セル内に封入される流動体と、前記開口部を封止するための封止部とを備えてなるデバイスの製造方法であって、
開口部を有するガラスからなるセルを準備する工程と、
前記開口部より前記セル内に流動体を封入する工程と、
レーザー照射により前記セルと、ガラスからなる封止部材とを溶着させて封止部を形成する工程とを含み、
前記封止部を形成する工程において、前記開口部を囲むように溶着部により囲まれて形成されてなる第一領域と、前記第一領域全域を囲むように溶着部により囲まれて形成されてなる第二領域となるように封止部を形成するデバイスの製造方法。
【請求項４】
前記溶着部は、連続した線状である請求項３に記載のデバイスの製造方法。
【発明の詳細な説明】
【技術分野】
【０００１】
本発明は、デバイス及びデバイスの製造方法に関する。特に、本発明は、発光体がセルの内部空間内に封入された発光デバイスやヨウ素溶液がセルの内部空間内に封入された太陽光発電デバイス、及び発光デバイスや太陽光発電デバイスの製造方法に関する。
【背景技術】
【０００２】
近年、量子ドットからなる発光体を利用した発光デバイスが提案されており、例えば、ガラスからなるセルの内部空間内に、流動性を有する発光体が封入された発光デバイスが挙げられる。また、ギャップ材等を用いて２枚のガラス基板に所定の間隔を設けることで形成されたセルの内部空間内にヨウ素溶液を封入した色素増感型太陽光発電デバイス（以下、太陽光発電デバイスと記載する。）も提案されている。
【０００３】
発光デバイスや太陽光発電デバイスの内部空間内に発光体やヨウ素溶液等の流動体を封入するために、セルの一部に開口部を設け、開口部から流動体を注入している。注入した後、開口部を有機接着剤等により封止していた。
【０００４】
しかしながら、有機接着剤は、太陽光や風雨により劣化してしまうおそれがあった。
【０００５】
これらの問題を解決する為に、様々な対策が行われている。特許文献１には、セルと、前記セル内に封入された発光体とを備える発光デバイスにおいて、セル内の空間に連通する貫通孔が形成されており、貫通孔を塞ぐように配されており、セルに溶着しているガラス製の封止部材を設けている。このように、有機接着剤よりも劣化しにくいガラス製の封止部材を、レーザーを用いてセルに溶着させることで、太陽光や風雨により劣化しにくい発光デバイスを提供している。
【先行技術文献】
【特許文献】
【０００６】
【特許文献１】特開２０１２−１６３９３６号公報
【発明の概要】
【発明が解決しようとする課題】
【０００７】
しかしながら、特許文献１に開示された発光デバイスの場合、レーザーの照射方法によっては、溶着が十分ではなく、発光体が漏れ出すおそれがある。
【０００８】
具体的に説明すると、図５のように、セル１１０の開口部１１５を覆うようにガラス封止部材１１６を配置し、レーザーによりセル１１０とガラス封止部材１１６とを溶着させた溶着部１１８により、セルの内部空間を封止した場合、レーザー照射部位にゴミ等の異物が存在していると、その部分でのセル１１０とガラス封止部材１１６の溶着が不十分となり、当該部分から発光体が漏れ出すおそれがある。
【０００９】
本発明は上述したような問題点に鑑み、その目的は、セルの内部空間内に封入されている流動体が漏れ出すおそれのないデバイス及びこのデバイスを製造する方法を提供することにある。
【課題を解決するための手段】
【００１０】
本発明者は、溶着部の配置を従来とは異なる配置とすることで、上記の問題を解決できることを初めて見いだし、ここにその内容を提示するものである。
【００１１】
すなわち、本発明のデバイスは、開口部を有するガラスからなるセルと、前記セル内に封入される流動体と、前記開口部を封止するための封止部とを備えるデバイスであって、前記封止部が、セルと、ガラスからなる封止部材とを溶着させて形成されてなり、かつ、前記開口部を囲むように溶着部により囲まれて形成されてなる第一領域と、前記第一領域全域を囲むように溶着部により囲まれて形成されてなる第二領域を有することを特徴とする。
【００１２】
溶着部は、連続した線状であることが好ましい。
【００１３】
また、本発明のデバイスの製造方法は、開口部を有するガラスからなるセルと、前記セル内に封入される流動体と、前記開口部を封止するための封止部とを備えてなるデバイスの製造方法であって、開口部を有するガラスからなるセルを準備する工程と、前記開口部より前記セル内に流動体を封入する工程と、レーザー照射により前記セルと、ガラスからなる封止部材とを溶着させて封止部を形成する工程とを含み、前記封止部を形成する工程において、前記開口部を囲むように溶着部により囲まれて形成されてなる第一領域と、前記第一領域全域を囲むように溶着部により囲まれて形成されてなる第二領域となるように封止部を形成することを特徴とする。
【００１４】
また、本発明のデバイスの製造方法において、溶着部は、連続した線状であることが好ましい。
【発明の効果】
【００１５】
本発明により、セルの内部空間内に封入されている流動体が漏れ出す可能性が低くなる。
【図面の簡単な説明】
【００１６】
【図１】本発明の実施形態に係るデバイスの略図的斜視図である。
【図２】図１の線Ｘ−Ｘにおける略図的断面図である。
【図３】本発明の実施形態に係るデバイスの一部の略図的平面図である。
【図４】従来のデバイスの一部の略図的平面図である。
【図５】従来のデバイスの一部の略図的平面図である。
【発明を実施するための形態】
【００１７】
以下、本発明を実施するための形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００１８】
図１は、本発明の一実施形態に係るデバイス１の略図的斜視図である。図２は、図１の線Ｘ−Ｘにおける略図的断面図である。まず、図１及び図２を参照しながら本実施形態に係るデバイス１の構成について説明する。
【００１９】
デバイス１は、励起光が入射したときに励起光とは異なる波長の光を出射する発光デバイスや、太陽光により発電を行う太陽光発電デバイスである。
【００２０】
デバイス１は、セル１０を有する。セル１０は、内部空間１０ａを有する。内部空間１０ａ内には、流動体１１が封入されている。具体的には、内部空間１０ａ内には、発光体が分散媒中に分散したものや、ヨウ素溶液が封入されている。流動体１１は、流動する物質であり、状態としては、例えば、粒子（固体）、液体、気体である。
【００２１】
セル１０は、一対のガラス板１２、１３を備えている。一対のガラス板１２、１３は、間隔をおいて互いに対向して配置されている。ガラス板１２とガラス板１３とは、略平行である。なお、ガラス板１２、１３の両方が発光体からの発光及び励起光や太陽光を透過させるものである必要は必ずしもないが、ガラス板１２、１３の少なくとも一方は、発光体からの発光、発光体の励起光、または太陽光を透過させるものである必要がある。
【００２２】
ガラス板１２、１３は、耐候性に優れており、かつ発光体やヨウ素溶液と反応し難いものであることが好ましい。ガラス板１２、１３は、例えば、珪酸塩系ガラス等により形成することができる。なお、ガラス板１２、１３は、結晶化ガラス板であってもよい。
【００２３】
ガラス板１２、１３の厚みは、特に限定されないが、例えば、０．５〜２．０ｍｍ程度とすることができる。
【００２４】
ガラス板１２、１３の周縁部間には、ギャップ形成部材１４が配されている。ギャップ形成部材１４としては、例えば、帯状のガラスリボンが挙げられる。
【００２５】
本実施形態において、ギャップ形成部材１４は、ガラス板１２、１３のそれぞれに溶着している。
【００２６】
ギャップ形成部材１４は、平面視において額縁状に形成されており、ギャップ形成部材１４と、ガラス板１２、１３とによって、内部空間１０ａが区画形成されている。また、ギャップ形成部材１４は、スペーサとしての機能を有する。すなわち、ギャップ形成部材１４によって、内部空間１０ａの厚みが決められている。
【００２７】
セル１０には、内部空間１０ａに連通する開口部１５が形成されている。この開口部１５は、流動体１１を内部空間１０ａ内に封入するためのものである。流動体１１は、セル１０に溶着しているガラス封止部材１６によって塞がれている。本実施形態では、ガラス封止部材１６は、ガラスリボンにより構成されている。
【００２８】
次に、ガラス封止部材１６により封止された状態について説明する。図３は、本実施形態におけるデバイス１の開口部１５及びガラス封止部材１６周囲の拡大平面図である。
【００２９】
図３に示すように、封止部１７は、平面視でセル１０のガラス板１２に形成された開口部１５を覆うようにガラス封止部材１６を配置して形成される。具体的には、例えば、レーザーによる局所加熱により、レーザーが照射された部分のガラス板１２及びガラス封止部材１６を溶融して、溶着部１８を形成したものである。溶着部１８において、ガラス板１２及びガラス封止部材１６が溶融し、これらが冷え固まることにより、ガラス板１２とガラス封止部材１６が接着（溶着）し、封止部１７が形成される。
【００３０】
封止部１７は、開口部１５を囲むように、溶着部１８により囲まれて形成された第一領域Ａ１と、第一領域Ａ１全体を囲むように、溶着部１８により囲まれて形成された第二領域Ａ２からなる。なお、第二領域Ａ２は、第一領域Ａ１全体を囲むように形成されるものであれば、図３のＡ２ａ、Ａ２ｂに表されるように、複数に分割されていても良い。また、複数の環を形成するものであっても良い。
【００３１】
このように、開口部１５全体が、第一領域Ａ１に取り囲まれ、かつ、第一領域Ａ１全体が第二領域Ａ２に取り囲まれているため、仮に、第一領域Ａ１を形成している溶着部１８の一部にゴミ等の異物が存在していて、溶着が不十分な部位が存在し、その部位から内部空間１０ａ内に封入されている流動体１１が第一領域Ａ１外へ漏れ出したとしても、第二領域Ａ２を形成する溶着部１８により、第二領域Ａ２外部への流動体１１の漏れ出しを防ぐことができる。
【００３２】
例えば、図４に示すように第一領域Ａ１全体が第二領域Ａ２により取り囲まれておらず、溶着部２８に取り囲まれていない領域Ｂ（第一領域Ａ１と領域Ａ３を除いた、ガラス板２２及びガラス封止部材２６上の領域）と接している場合、第一領域Ａ１を形成する溶着部２８が領域Ｂと接する部位Ｃにおいて、溶着が不十分である場合、部位Ｃから流動体２１が漏れ出すおそれがある。
【００３３】
なお、図３に示すように、溶着部１８が、連続した線状であれば、作業性の効率化を図ることができる。
【符号の説明】
【００３４】
１            デバイス
１０          セル
１０ａ        内部空間
１２、１３    ガラス板
１４          ギャップ形成部材
１５          開口部
１６          ガラス封止部材
１７          封止部
１８          溶着部
【図１】
2014241244.tif 000003
【図２】
2014241244.tif 000004
【図３】
2014241244.tif 000005
【図４】
2014241244.tif 000006
【図５】
2014241244.tif 000007